(57)【要約】【課題】自動車用側部窓ガラスの略三角形状や略台形状の異形状ガラスを２枚１組として、長方形素板より採り合わせで採寸し採寸歩留まりを向上させる。【解決手段】異形ガラスの外周座標データを演算処理装置に入力する入力手段と、該入力された外周座標データに基づき最適な採寸パターン図形と素板寸法を演算する演算処理手段と、該読み込まれた外周座標データ及び演算処理結果の記憶手段と、演算結果を画面表示する表示出力手段とからなり、異形ガラスの基準図形の外周外側に最小折幅となる耳幅を加算した耳幅加算図形を設け、該図形を二次元直交座標系の第３、又は第４象限に仮配置し、前記耳幅加算図形を第３、第４象限間でＸ軸方向に一定ピッチ移動させ、又は一定角度旋回させ、又移動と旋回を同時に行い直交座標の点Ｏを点対称の中心として、耳幅加算図形とその点対称図形を取囲む長方形の面積が最小となる素板図形を２枚採り用素板ガラスの図形とする。【選択図】  図１
2008081347.tif 000002
【特許請求の範囲】
【請求項１】
長方形の素板ガラスより自動車の側部窓形状を２次元に展開した異形ガラス板を２枚採りで採寸する方法において、異形ガラスの外周座標データを演算処理装置に入力する入力手段と、該入力された外周座標データに基づき最適な採寸パターン図形と素板寸法を演算する演算処理手段と、該読み込まれた外周座標データおよび演算処理結果の記憶手段と、演算結果を画面表示する表示出力手段とからなり、前記演算処理手段は、該異形ガラスの基準図形の外周外側に最小折幅となる耳幅を加算した耳幅加算図形を設け、該耳幅加算図形を二次元直交座標系の第３象限または第４象限に仮配置し、前記耳幅加算図形を第３象限と第４象限間でＸ軸方向に一定ピッチで移動させ、あるいは耳幅加算図形の略中心で一定角度旋回させて、あるいはまた移動と旋回を同時に行って、直交座標の点Ｏを点対称の中心として、耳幅加算図形とその点対称図形を取り囲む長方形の面積が最小となる素板図形を２枚採り用素板ガラスの図形とすることを特徴とする異形ガラス用素板の採寸方法。
【請求項２】
前記点対称に配置した耳幅加算図形とその点対称図形を取り囲む長方形状の２枚採り用素板図形を、縦横に複数組並設して複数枚採り素板図形とすることを特徴とする請求項１記載の異形ガラス用素板の採寸方法。
【発明の詳細な説明】
【技術分野】
【０００１】
本発明は、方形のガラス素板より自動車用側部窓ガラスに用いる略三角形状や略台形状の異形ガラスを２枚１組として採り合わせで採寸するための方法に関し、採寸歩留まりを向上させるようにしたものである。
【背景技術】
【０００２】
従来、自動車用の窓ガラスを製造するにあたり、自動車メーカーから窓ガラス形状の３次元座標データで供給を受け、前記３次元座標データから２次元の展開素板座標データを作成後、原寸大で２次元展開シートをプリントして作成し、人手で方眼紙上に２次元展開シートを載置し、該展開シートを回転させる等により素板ガラスの面積が最小となるようにして方形の素板を決定していた。
【０００３】
また、１枚の素板ガラスから複数枚の異形ガラス板をとる場合には、人手で方眼紙上に２枚の２次元展開シートを並べて、該２次元展開シート２枚を採寸するのに必要な素板ガラスの面積が最小となるようにプリントした展開シートをそれぞれ旋回させて行っていた。
【０００４】
さらにまた、例えば、特開平９−３０９７３７号公報の図１０には、Ｘ軸方向の切断線ａ、Ｙ軸方向の切断線ａ’のクロス切りに加えて、異形切断線ａ”の入れ始めと入れ終わりを一致させるようにした板ガラスの切断装置が開示されている（特許文献１）。
【特許文献１】特開平９−３０９７３７号公報
【発明の開示】
【発明が解決しようとする課題】
【０００５】
前記特許文献１は、大きなサイズの素板ガラスから小さなサイズの異形のガラス板に切り替える切断装置であり、小サイズの異形ガラス板に切り替える時に必ずしも切替ロスが最小限となるように工夫したものではなく、さらに、小サイズの異形のガラス板をどのように配置したら切替ロスが最小限となるかという課題の記載もなく、単に付与された切り筋線に沿って切断するにとどまるものである。
【課題を解決するための手段】
【０００６】
本発明は、上記問題点の解決を図る、すなわち、自動車用側部窓ガラス用の略三角形状や略台形状の異形状ガラス板を、方形のガラス素板より２枚１組として採り合わせで採寸する場合に、長方形状の素板ガラスの寸法を最小とし、切替ロスを最小限とする採寸パターンを自動的に行えるようにすることを目的とする。
【０００７】
すなわち、本発明は、長方形の素板ガラスより自動車の側部窓を２次元に展開した異形ガラス板を２枚採りで採寸する方法において、異形ガラスの外周座標データを演算処理装置に入力する入力手段と、該入力された外周座標データに基づき最適な採寸パターン図形と素板寸法を演算する演算処理手段と、該読み込まれた外周座標データおよび演算処理結果の記憶手段と、演算結果を画面表示する表示出力手段とからなり、前記演算処理手段は、異形ガラスの基準図形の外周外側に最小折幅となる耳幅を加算した耳幅加算図形を設け、該耳幅加算図形を二次元直交座標系の第３象限または第４象限に仮配置し、前記耳幅加算図形を第３象限と第４象限間でＸ軸方向に一定ピッチで移動させ、あるいは耳幅加算図形の略中心で一定角度旋回させて、あるいはまた移動と旋回を同時に行って、直交座標の点Ｏを点対称の中心として、耳幅加算図形とその点対称図形を取り囲む長方形の面積が最小となる素板図形を２枚採り用素板ガラスの図形とすることを特徴とする異形ガラス用素板の採寸方法である。
【０００８】
あるいは、本発明は、前記点対称に配置した耳幅加算図形とその点対称図形を取り囲む長方形状の２枚採り用素板図形を、縦横に複数組並設して複数枚採り素板図形とすることを特徴とする上述の異形ガラス用素板の採寸方法である。
【発明の効果】
【０００９】
自動車用側部窓ガラスに用いられる異形状ガラス板を２枚１組として、方形のガラス素板より採り合わせで採寸する場合、特に、２次元に展開したガラス板の形状が、略三角形状や略台形状のように斜辺を有する異形状の場合には、これらの異形ガラス板の全周外側に最小折幅の耳部を確保した耳幅加算図形を設け、該耳幅加算図形を直交座標系の第３象限または第４象限の一方から他方にＸ軸方向に一定ピッチで移動させ、あるいは／及び一定角度旋回させて、直交座標の点Ｏを点対称の中心として、耳幅加算図形とその点対称図形を取り囲む長方形の面積が最小となる素板図形を２枚採り用素板ガラスの図形としたので、素板ガラスから異形状ガラスに切替時の切断ロスを最小限にすることができる。
【発明を実施するための最良の形態】
【００１０】
本発明は、長方形の素板ガラスより自動車の側部窓ガラスに用いられる略三角形状や略台形状の異形状のガラス板を２枚１組として採寸する場合の切替ロスを最小限とする採寸パターンを決定する方法である。
【００１１】
自動車等に用いられる湾曲ガラスは、フラットなガラス板を加熱軟化して湾曲させて成型するため、自動車メーカーより提示された窓ガラスの３次元の立体形状データを、フラットな形状の２次元の展開座標データに変換する必要がある。
【００１２】
前記２次元に展開したフラットなガラス板の形状が、略三角形状や略台形状のように斜辺を有する異形状の場合について、異形ガラスの外周座標データを演算処理装置に入力する入力手段と、該入力された外周座標データに基づき最適な採寸パターン図形と素板寸法を演算する演算処理手段と、該読み込まれた外周座標データおよび演算処理結果の記憶手段と、演算結果を画面表示する表示出力手段とからなる。
【００１３】
前記入力手段は、自動車メーカーより提示された窓ガラスの３次元の立体形状データを、コンピュータによってフラットな形状の２次元の展開座標データに変換したデータを通信回線を介してそのまま入力する、あるいは媒体を介して入力する、あるいはまた、ＸＹ座標データをディスプレイ画面より直接入力することもできる。
【００１４】
また、前記演算処理手段は、情報処理装置の前記入力手段によって入力された異形ガラスの基準図形の外周外側に最小折幅となる耳幅を加算した耳幅加算図形を設定し、該耳幅加算図形を二次元直交座標系の第３象限または第４象限に仮配置し、前記耳幅加算図形を第３象限と第４象限間でＸ軸方向に一定ピッチで移動させ、あるいは耳幅加算図形の略中心で一定角度旋回させて、あるいはまた移動と旋回を同時に行って、直交座標の点Ｏを点対称の中心として、耳幅加算図形とその点対称図形（第１象限、第２象限に配置される）を取り囲む長方形の面積が最小となる素板図形を２枚採り用素板ガラスの図形とするものである。
【００１５】
このように、異形状のガラス板のサイズによって素板ガラスを準備する場合には、最も面積の小さな素板ガラスを用意すればよい。
【００１６】
さらに、前記記憶手段は、前記入力手段によって読み込まれた外周座標データ、および前記演算処理手段によって得られた最適な素板サイズ、さらには異形ガラス図形の長方形の素板ガラス内の配置位置座標情報を記憶させる。
【００１７】
前記長方形状の素板に、異形ガラスの外形形状図形の外周辺に斜辺を有している場合には、該斜辺部同士を互いに点対称となるような向きで当接させ、２枚の異形ガラスを１組として配置すると、これらの異形ガラスの図形と点対称に配設した図形の両図形を採り囲む長方形の面積が最小となるケースが多いが、必ずしもそうならないケースもあり得る。
【００１８】
さらにまた、表示出力手段は、演算処理手段によって得られた異形ガラスの外形形状の最適な配置パターンをディスプレイ画面上に図形表示させると共に、オペレーターの確認指示によって、切断に必要な座標データをＮＣ切断機側に送信出力することもできる。
【００１９】
図４に示すように、前記演算処理手段の具体的な処理手順は、以下の通りである。
【００２０】
（１）まず、異形ガラスの基準図形の外周外側に最小折幅となる耳幅寸法を加算した耳幅加算図形を設定する。
【００２１】
（２）該耳幅加算図形のすべてが二次元のＸＹ直交座標系の第３象限または第４象限のいずれかに納まるようにプロットさせる。
【００２２】
（３）直交座標の点Ｏを点対称の中心として、耳幅加算図形とその点対称図形をプロットする。
【００２３】
（４）プロットされた耳幅加算図形と点対称図形を最小面積の長方形で取り囲み、その面積Ｓを演算し、耳幅加算図形と点対称図形の各外形形状の座標データと共に一時記憶させる。
【００２４】
（５）前回迄に求めた長方形の面積の最小の面積をＳminとして、そのときの耳幅加算図形と点対称図形の各外形形状の座標データと共に一時記憶させる。
【００２５】
（６）前記耳幅加算図形全体が第３象限にあってＸＹ軸と接する状態から、第４象限にあってＸＹ軸と接する状態まで、Ｘ軸方向に一定ピッチで移動させ、前記耳幅加算図形をプロットし、前記（３）〜（５）の処理を繰り返し行う。
【００２６】
（７）前記耳幅加算図形をその略中心で一定角度で旋回させ、前記耳幅加算図形をプロットし、前記（３）〜（５）の処理を繰り返し行う。
【００２７】
（８）前記（５）の耳幅加算図形とその点対称図形を取り囲む長方形の最小面積Ｓminのときの、素板図形４を２枚採り用素板の図形とし、その素板から採寸される耳幅加算図形と点対称図形の座標より算出される２枚の異形ガラスの配置座標を併せて算出する。
【００２８】
（９）前記２枚採り用素板の点Ｏを通る中心線をＹ軸と一致するように回転させて、縦長形状、または横長形状の長方形の素板図形を得ることができ、互いに点対称の２枚の異形ガラスの座標も算出できる。
【００２９】
次に、本発明の作用について説明する。
【００３０】
異形状ガラス板が略三角形状、または略台形状の斜辺を有する場合には、該斜辺をつき合わせるようにして２つの同一図形を点対称に配置すると、これらを取り囲む長方形の面積が１枚の長方形のガラス板より採寸するより小さくなり、切替ロスが少なくなることは周知であるが、コンピューター上では、異形状の図形のどの辺が斜辺であるかについて認識困難である。
【００３１】
本発明により、該異形状のガラスの外形データに最小折幅を加算した耳幅加算図形を任意の向きで直交座標系のＸ軸より下方に配設させ、ＸＹ軸の交点である点Ｏを点対称の中心として求めた点対称図形をＸ軸より上に配置し、耳幅加算図形と点対称図形とを取り囲む長方形の面積の最小値を逐次算出記憶し、該耳幅加算図形のＸ軸方向の移動、または／および該耳幅加算図形の略中心での旋回により、これに伴って移動する点対称図形と前記耳幅加算図形を取り囲む長方形の面積を再計算して求めて、最も面積の小さい長方形状となる２枚採り素板をコンピューターによって容易に設定することができ、該異形状の図形の位置、向きを効率よく求めることができる。
【００３２】
尚、既に在庫を抱えている素板ガラスを使用する、あるいは比較的サイズの似通った複数の異形状ガラスを生産しなければならない場合には、その両方のサイズに適用できる位置に点対称の位置を変更すればよい。この場合には最小面積にする必要はない。
【００３３】
また、自動車用側部窓用の非常に小さなサイズの略三角形状の異形ガラス板を採寸する場合には、２枚を１組とした長方形状の素板ガラスも小サイズとなり、フロートラインで素板ガラスとして切断および搬送できる最小サイズを下回る場合もある。このため、このような場合、大きなサイズの素板ガラスから小さなサイズの略三角形状の異形ガラス板を、例えば４枚採り〜１２枚採り等にして切断すれば良い。
【００３４】
例えば、図３に示すように、１枚の長方形状の素板ガラス４から８枚の異形状ガラス板１を採寸する場合、前記２枚の異形状のガラスを点対称に配置した長方形状の２枚採り用素板ガラス１枚を縦方向、および横方向に合計４枚並設した素板サイズとすれば良い。
【００３５】
このような８枚採りの大きなサイズの素板を縦横に切断して、点対称に配置した２枚の異形状のガラス板からなる長方形状の素板ガラスとし、２枚の異形状のガラス板間の境界線である斜線位置で斜め切りすれば、折割可能な最小板幅の耳部を有した異形ガラスの素板となるガラス板を得ることができる。
【００３６】
以上、好適な実施例について述べたが、本発明はこれに限定されるものではない。
【００３７】
また、本発明においては、異形状ガラス板の図形を直交座標系の第３、４象限間にプロットし、Ｘ軸に平行に移動させ、点Ｏを点対称の中心として、点対称図形を第１、２象限にプロットするようにしたが、異形状ガラス板の図形を直交座標系の第１、４象限間にプロットし、Ｙ軸に平行に移動させ、点Ｏを点対称の中心として、点対称図形を第３、２象限にプロットするようにしても良い。
【００３８】
尚、本発明は、以上の方法をコンピューターを用いて演算させることによって処理するものである。
【産業上の利用可能性】
【００３９】
本発明は、長方形の素板ガラスより自動車の側部窓ガラスに用いられる異形状ガラス板２枚を採り合わせで採寸する場合に切替ロスを最小限とする素板を演算によって求める技術に関する。
【図面の簡単な説明】
【００４０】
【図１】直交座標系にプロットした異形状のガラス板の図形、および最小折幅を加算した図形と、その点対称図形を取り囲む長方形の素板図形を示す採寸パターン図。
【図２】直交座標系にプロットした異形状のガラス板の図形、および最小折幅を加算した図形と、その点対称図形を取り囲む長方形の素板図形が最小の面積となる状態を示す採寸パターン図。
【図３】異形状のガラス板を２枚１組にした長方形を４枚並べて、８枚採りとしたパターン図。
【図４】本発明の最小面積を求めるための採寸方法のフローチャート。
【符号の説明】
【００４１】
１ａ、１ｂ、１ｃ    異形状ガラス図形
２ａ、２ｃ          耳幅加算図形
３ａ、３ｂ、３ｃ    点対称図形
４ａ、４ｂ、４ｃ    長方形の素板図形
【図１】
2008081347.tif 000003
【図２】
2008081347.tif 000004
【図３】
2008081347.tif 000005
【図４】
2008081347.tif 000006